(57)【要約】【課題】操作モード切換手段を可変抵抗器で実現することができるリモコン装置を提供する。【解決手段】可変抵抗器がＤＶＤに設定された場合、電圧差判定手段は電池電圧と設定電圧との電圧差が０Ｖであると判定し、操作モード設定手段は前記判定された電圧差が０Ｖである段階に対応するＤＶＤ操作モードに設定する。また、ユーザによって可変抵抗器がＶＣＲに設定された場合、電圧差判定手段は電池電圧と設定電圧との電圧差が１Ｖであると判定し、操作モード設定手段は前記判定された電圧差が１Ｖである段階に対応するＶＣＲ操作モードに設定する。また、ユーザによって可変抵抗器がＴＶに設定された場合、電圧差判定手段は電池電圧と設定電圧との電圧差が２Ｖであると判定し、操作モード設定手段は前記判定された電圧差が２Ｖである段階に対応するＴＶ操作モードに設定する。【選択図】図４
2008182636.tif 000002
【特許請求の範囲】
【請求項１】
操作面に設けられた操作キーの押下に応答してキー位置信号を出力するキーマトリクス回路と、各操作対象機器をそれぞれ操作する各操作モードにおけるキー位置信号に対応して割り当てられたキーコードを記憶したメモリと、当該操作キーが押下されたときに前記キーマトリクス回路から出力されたキー位置信号に従って前記メモリから読み出されたキーコードを送信するキーコード送信回路とを含み構成されたリモコン装置において、
操作面に設けられ、一端が内蔵の電池の正極に接続され、他端がアナログ／デジタル変換回路の入力側に接続され、操作モードを切り換える操作を行うための可変抵抗器と、前記電池の電圧を検出する電池電圧検出手段と、前記可変抵抗器の抵抗変化による設定電圧を前記アナログ／デジタル変換回路を介して検出する設定電圧検出手段と、前記電池電圧と前記設定電圧との電圧差を検出する電圧差検出手段と、前記検出された電圧差が予め定めた段階の何れに該当するかを判定する電圧差判定手段と、前記判定された電圧差の段階に対応する操作モードに設定する操作モード設定手段と、前記設定された操作モードにおいてキー操作されたときに当該キー操作された操作キーに対応するキーコードを前記メモリから読み出して前記キーコード送信回路から送信させる送信制御手段とを有することを特徴とするリモコン装置。
【請求項２】
操作面に設けられた操作キーの押下に応答してキー位置信号を出力するキーマトリクス回路と、各操作対象機器をそれぞれ操作する各操作モードにおけるキー位置信号に対応して割り当てられたキーコードを記憶したメモリと、当該操作キーが押下されたときに前記キーマトリクス回路から出力されたキー位置信号に従って前記メモリから読み出されたキーコードを送信するキーコード送信回路とを含み構成されたリモコン装置において、
操作面に設けられ操作モードを切り換える操作を行うための可変抵抗器と、内蔵の電池の電圧を検出する電池電圧検出手段と、前記可変抵抗器の抵抗変化による設定電圧を検出する設定電圧検出手段と、前記電池電圧と前記設定電圧との電圧差を検出する電圧差検出手段と、前記検出された電圧差が予め定めた段階の何れに該当するかを判定する電圧差判定手段と、前記判定された電圧差の段階に対応する操作モードに設定する操作モード設定手段と、前記設定された操作モードにおいてキー操作されたときに当該キー操作された操作キーに対応するキーコードを前記メモリから読み出して前記キーコード送信回路から送信させる送信制御手段とを有することを特徴とするリモコン装置。
【請求項３】
前記可変抵抗器は、一端が前記電池の正極に接続されると共に他端がアナログ／デジタル変換回路の入力側に接続され、設定電圧検出手段は、前記可変抵抗器の抵抗変化による設定電圧を前記アナログ／デジタル変換回路を介して検出することを特徴とする請求項２に記載のリモコン装置。
【発明の詳細な説明】
【技術分野】
【０００１】
本発明は、複数の操作対象機器を遠隔操作することが可能なリモコン装置に関し、ＤＶＤレコーダ、ＤＶＤプレイヤ、ビデオカセットレコーダ、ハードディスクレコーダ、テレビジョン受像機などのＡＶ機器を操作する際の操作モードの切り換えに関する。
【背景技術】
【０００２】
従来から、ＤＶＤレコーダ、ＤＶＤプレイヤ、ビデオカセットレコーダ、ハードディスクレコーダ、テレビジョン受像機などのＡＶ機器は、それぞれ付属のリモコン装置によって操作が可能になっている。このような付属のリモコン装置の中でも、ＤＶＤレコーダ、ＤＶＤプレイヤ、ビデオカセットレコーダ、ハードディスクレコーダなどのリモコン装置は、テレビジョン受像機も操作できるものもある。また、ＤＶＤレコーダとビデオカセットレコーダとの複合機、ＤＶＤレコーダとハードディスクレコーダとの複合機などのリモコン装置は、それぞれの機器を操作できると共にテレビジョン受像機も操作できるように、３個の操作モードに切り換えが可能になっている。即ち、ＡＶ機器が複数個を有する複合機に対するリモコン装置では、ＡＶ機器の個数分の操作モードに切り換えることができるように構成されている。
【特許文献１】特開２００１−１１８４６９号公報
【特許文献２】特開平６−１８１５９５号公報
【発明の開示】
【発明が解決しようとする課題】
【０００３】
ところで、複数の操作対象機器を操作することができるリモコン装置においては、操作モードを切り換える操作モード切換手段が必要となるが、従来のリモコン装置では、操作面に操作モードを切り換えるための専用キーが複数個設けられ、当該専用キーが押下されると、内蔵のマイクロコンピュータで当該専用キーに対応するキーコード（リモコンコード）に切り換えて、操作目的とする操作対象機器を操作できるようにしている。
【０００４】
例えば、ＤＶＤレコーダとＶＣＲ（ビデオカセットレコーダ）とＴＶ（テレビジョン受像機）を操作することができる従来のリモコン装置であれば、ＤＶＤレコーダを操作するためのＤＶＤ操作モードに設定する専用のＤＶＤ操作モードキーと、ＶＣＲを操作するためのＶＣＲ操作モードに設定する専用のＶＣＲ操作モードキーと、ＴＶを操作するためのＴＶ操作モードに設定する専用のＴＶ操作モードキーとが、操作面に設けられている。
【０００５】
しかしながら、このような操作モード切換手段としての専用のキーである操作モードキーが複数個設けられている従来のリモコン装置では、各操作モードに切り換えるのに、それぞれの操作モードキーを操作しなければならないので、ユーザにとっては操作が面倒であるという課題があった。また、従来のリモコン装置では、操作モードキーが複数個設けられるので、小型化を図ることができず、このためコストダウンも図ることができないという課題があった。
【０００６】
なお、特許文献１の従来技術では、ジョグ動作およびシャトル動作をそれぞれ２ウェイディテクタスイッチ（回転スイッチ）で動作させるようにしているが、そのスイッチは操作モード切換手段として用いられてはいなく、また、そのスイッチは、可変抵抗器のように構成が簡単ではなく、複雑な構成を有するので、前記のような課題を解決できるものではない。
【０００７】
また、特許文献２の従来技術では、ダイヤルスイッチとプッシュスイッチのみの操作により、機能の選択、および制御内容の指定が行なえるように構成されているが、ダイヤルスイッチは、操作モード切換手段として用いられてはいなく、また、そのダイヤルスイッチは、可変抵抗器のように構成が簡単ではなく、複雑な構成を有するので、前記のような課題を解決できるものではない。
【０００８】
本発明は、上記のような課題を解決するためになされたもので、操作モード切換手段を可変抵抗器で実現し、この可変抵抗器により操作モードの切り換えを行うことができるリモコン装置を提供することを目的とする。
【課題を解決するための手段】
【０００９】
上記目的を達成するために、請求項１の発明は、操作面に設けられた操作キーの押下に応答してキー位置信号を出力するキーマトリクス回路と、各操作対象機器をそれぞれ操作する各操作モードにおけるキー位置信号に対応して割り当てられたキーコードを記憶したメモリと、当該操作キーが押下されたときに前記キーマトリクス回路から出力されたキー位置信号に従って前記メモリから読み出されたキーコードを送信するキーコード送信回路とを含み構成されたリモコン装置において、操作面に設けられ、一端が内蔵の電池の正極に接続され、他端がアナログ／デジタル変換回路の入力側に接続され、操作モードを切り換える操作を行うための可変抵抗器と、前記電池の電圧を検出する電池電圧検出手段と、前記可変抵抗器の抵抗変化による設定電圧を前記アナログ／デジタル変換回路を介して検出する設定電圧検出手段と、前記電池電圧と前記設定電圧との電圧差を検出する電圧差検出手段と、前記検出された電圧差が予め定めた段階の何れに該当するかを判定する電圧差判定手段と、前記判定された電圧差の段階に対応する操作モードに設定する操作モード設定手段と、前記設定された操作モードにおいてキー操作されたときに当該キー操作された操作キーに対応するキーコードを前記メモリから読み出して前記キーコード送信回路から送信させる送信制御手段とを有するリモコン装置を提供する。
【００１０】
この構成において、電池電圧検出手段は、電池の現在の電圧を検出し、設定電圧検出手段は、可変抵抗器の抵抗変化による設定電圧をアナログ／デジタル変換回路を介して検出する。この後、電圧差検出手段は、電池電圧と前記設定電圧との電圧差を検出し、更に、電圧差判定手段は、前記検出された電圧差が予め定めた段階の何れに該当するかを判定する。
【００１１】
ユーザによって可変抵抗器の摘みの指示位置が、例えば、ＤＶＤに設定された場合、電圧差判定手段は、電池電圧と設定電圧との電圧差が０Ｖであると判定し、操作モード設定手段は、前記判定された電圧差が０Ｖである段階に対応するＤＶＤ操作モードに設定する。また、ユーザによって可変抵抗器の摘みの指示位置がＶＣＲに設定された場合、電圧差判定手段は、電池電圧と設定電圧との電圧差が１Ｖであると判定し、操作モード設定手段は、前記判定された電圧差が１Ｖである段階に対応するＶＣＲ操作モードに設定する。また、ユーザによって可変抵抗器の摘みの指示位置がＴＶに設定された場合、電圧差判定手段は、電池電圧と設定電圧との電圧差が２Ｖであると判定し、操作モード設定手段は、前記判定された電圧差が２Ｖである段階に対応するＴＶ操作モードに設定する。例えば、ＤＶＤ操作モードに設定された後、キー操作がされると、送信制御手段は、ＤＶＤ操作モードでの当該キー操作された操作キーに対応するキーコードをメモリから読み出し、この読み出したキーコードをキーコード送信回路から送信させる。
【００１２】
この構成によれば、リモコン装置における操作モード切換手段を可変抵抗器で実現したので、操作モード切換手段の構成が簡単になり、可変抵抗器の摘みを廻すだけで、操作キーのキーコードを切り換えることができ、これにより、ユーザの操作性が向上する。また、操作モードを切り換えるキーの個数が減るので、全体的に操作キーの個数が減り、これにより、リモコン装置の小型化およびコストダウンを図ることができる。
【００１３】
請求項２の発明は、操作面に設けられた操作キーの押下に応答してキー位置信号を出力するキーマトリクス回路と、各操作対象機器をそれぞれ操作する各操作モードにおけるキー位置信号に対応して割り当てられたキーコードを記憶したメモリと、当該操作キーが押下されたときに前記キーマトリクス回路から出力されたキー位置信号に従って前記メモリから読み出されたキーコードを送信するキーコード送信回路とを含み構成されたリモコン装置において、操作面に設けられ操作モードを切り換える操作を行うための可変抵抗器と、内蔵の電池の電圧を検出する電池電圧検出手段と、前記可変抵抗器の抵抗変化による設定電圧を検出する設定電圧検出手段と、前記電池電圧と前記設定電圧との電圧差を検出する電圧差検出手段と、前記検出された電圧差が予め定めた段階の何れに該当するかを判定する電圧差判定手段と、前記判定された電圧差の段階に対応する操作モードに設定する操作モード設定手段と、前記設定された操作モードにおいてキー操作されたときに当該キー操作された操作キーに対応するキーコードを前記メモリから読み出して前記キーコード送信回路から送信させる送信制御手段とを有するリモコン装置を提供する。
【００１４】
この構成において、電池電圧検出手段は、電池の現在の電圧を検出し、設定電圧検出手段は、可変抵抗器の抵抗変化による設定電圧を検出する。この後、電圧差検出手段は、電池電圧と前記設定電圧との電圧差を検出し、更に、電圧差判定手段は、前記検出された電圧差が予め定めた段階の何れに該当するかを判定する。
【００１５】
ユーザによって可変抵抗器の摘みの指示位置が、例えば、ＤＶＤに設定された場合、電圧差判定手段は、電池電圧と設定電圧との電圧差が０Ｖであると判定し、操作モード設定手段は、前記判定された電圧差が０Ｖである段階に対応するＤＶＤ操作モードに設定する。また、ユーザによって可変抵抗器の摘みの指示位置が、ＶＣＲに設定された場合、電圧差判定手段は、電池電圧と設定電圧との電圧差が１Ｖであると判定し、操作モード設定手段は、前記判定された電圧差が１Ｖである段階に対応するＶＣＲ操作モードに設定する。また、ユーザによって可変抵抗器の摘みの指示位置が、ＴＶに設定された場合、電圧差判定手段は、電池電圧と設定電圧との電圧差が２Ｖであると判定し、操作モード設定手段は、前記判定された電圧差が２Ｖである段階に対応するＴＶ操作モードに設定する。例えば、ＤＶＤ操作モードに設定された後、キー操作がされると、送信制御手段は、ＤＶＤ操作モードでの当該キー操作された操作キーに対応するキーコードをメモリから読み出し、この読み出したキーコードをキーコード送信回路から送信させる。
【００１６】
この構成によれば、リモコン装置における操作モード切換手段を可変抵抗器で実現したので、操作モード切換手段の構成が簡単になり、可変抵抗器の摘みを廻すだけで、操作キーのキーコードを切り換えることができ、これにより、ユーザの操作性が向上する。また、操作モードを切り換えるキーの個数が減るので、全体的に操作キーの個数が減り、これにより、リモコン装置の小型化およびコストダウンを図ることができる。
【００１７】
請求項３の発明では、請求項２の発明において、前記可変抵抗器は、一端が前記電池の正極に接続されると共に他端がアナログ／デジタル変換回路の入力側に接続され、設定電圧検出手段は、前記可変抵抗器の抵抗変化による設定電圧を前記アナログ／デジタル変換回路を介して検出することを特徴とする。
【００１８】
したがって、前記可変抵抗器の抵抗値を変化させれば、前記アナログ／デジタル変換回路の入力側の電圧が変化し、制御モードを切り換えるための設定電圧を得ることが可能になる。また、前記設定電圧検出手段は、前記設定電圧を前記アナログ／デジタル変換回路を介して検出することにより、デジタル値の設定電圧を検出することができ、正確な設定電圧を出力することが可能になる。
【発明の効果】
【００１９】
以上のように本発明によれば、リモコン装置における操作モード切換手段を可変抵抗器で実現したので、操作モード切換手段の構成が簡単になり、可変抵抗器の摘みを廻すだけで、操作キーのキーコードを切り換えることができ、これにより、ユーザの操作性が向上する。また、操作モードを切り換えるキーの個数が減るので、全体的に操作キーの個数が減り、これにより、リモコン装置の小型化およびコストダウンを図ることができる。
【発明を実施するための最良の形態】
【００２０】
以下、添付図面を参照しつつ、本発明の実施の形態について説明する。図１は本発明の一実施形態にリモコン装置に係る構成を示すブロック図である。
【００２１】
図１において、リモコン装置は、装置全体を制御するマイクロコンピュータ１と、操作面に設けられた操作キーの押下に応答してキー位置信号を出力するキーマトリクス回路８と、当該操作キーが押下されたときにキーマトリクス回路８から出力されたキー位置信号に従ってフラッシュＲＯＭ３から読み出されたキーコードを送信するキーコード送信回路９と、操作面上に設けられ各操作対象機器を操作するための操作モードを切り換える操作を行うための可変抵抗器７と、装置内の各回路に電源電圧を供給する電池１０とを備えている。
【００２２】
マイクロコンピュータ１には、演算や制御を行うＣＰＵ２と、ＣＰＵ２の動作に必要なプログラムやデータ、あるいは各操作対象機器をそれぞれ操作する各操作モードにおけるキー位置信号に対応して割り当てられたキーコードを記憶したフラッシュＲＯＭ３と、ＣＰＵ２の動作に必要なデータを一時的に格納するＲＡＭ４と、ＣＰＵ２への基準クロック信号を発生する発振回路５と、可変抵抗器７により設定された電圧のアナログ値をデジタル値に変換するＡ／Ｄ（アナログ／デジタル）変換回路６とが備えられている。フラッシュＲＯＭ３においては、各操作モードにおけるキー位置信号に対応して割り当てられたキーコードを読み出すために、操作モードとキー位置信号とキーコードとの対応関係がテーブルとして予め記憶されている。
【００２３】
ＣＰＵ２は、電池１０の電圧を検出する電池電圧検出手段２１と、可変抵抗器７の抵抗変化による設定電圧を検出する設定電圧検出手段２２と、前記検出された電池電圧と前記設定電圧との電圧差を検出する電圧差検出手段２３と、前記検出された電圧差が予め定めた段階の何れに該当するかを判定する電圧差判定手段２４と、前記判定された電圧差の段階に対応する操作モードに設定する操作モード設定手段２５と、前記設定された操作モードにおいてキー操作されたときに当該キー操作された操作キーに対応するキーコードをフラッシュＲＯＭ３から読み出してキーコード送信回路９から送信させる送信制御手段２６とを有する。
【００２４】
図２は図１に示すリモコン装置においてマイクロコンピュータに接続される構成要素を回路図で示した回路ブロック図である。図２において、図１に示す構成要素に相当するものには同一の符号を付す。なお、図２において、マイクロコンピュータ１の端子の配置や個数は一例であるので、これに限ることはない。
【００２５】
図２において、キーマトリクス回路８は、操作キーＸ１Ｙ１〜Ｘ６Ｙ８がマトリクス上に接続されている。操作キーＸ１Ｙ１〜Ｘ６Ｙ１の一方端子はマイクロコンピュータ１の入力端子Ｙ１に接続されている。操作キーＸ１Ｙ２〜Ｘ６Ｙ２の一方端子はマイクロコンピュータ１の入力端子Ｙ２に接続されている。操作キーＸ１Ｙ３〜Ｘ６Ｙ３の一方端子はマイクロコンピュータ１の入力端子Ｙ３に接続されている。操作キーＸ１Ｙ４〜Ｘ６Ｙ４の一方端子はマイクロコンピュータ１の入力端子Ｙ４に接続されている。操作キーＸ１Ｙ５〜Ｘ６Ｙ５の一方端子はマイクロコンピュータ１の入力端子Ｙ５に接続されている。操作キーＸ１Ｙ８〜Ｘ６Ｙ８の一方端子はマイクロコンピュータ１の入力端子Ｙ８に接続されている。
【００２６】
操作キーＸ１Ｙ１〜Ｘ１Ｙ８の他方端子はマイクロコンピュータ１の出力端子Ｘ１に接続されている。操作キーＸ２Ｙ１〜Ｘ２Ｙ８の他方端子はマイクロコンピュータ１の出力端子Ｘ２に接続されている。操作キーＸ６Ｙ１〜Ｘ６Ｙ８の他方端子はマイクロコンピュータ１の出力端子Ｘ６に接続されている。なお、複数の操作キーが同時に押下されたときは、マイクロコンピュータ１は、操作キーの入力は受け付けないように処理する。また、マイクロコンピュータ１は、複数の操作キーが押下されても、先に押下された操作キーの入力が有効になるように処理する。
【００２７】
電池１０の両端には、ノイズ除去用のコンデンサ１４の両端、およびマイクロコンピュータ１の電源端子ＶＤＤとグラウンド端子ＧＮＤとが接続されている。マイクロコンピュータ１の発振子接続端子ＯＳ１と発振子接続端子ＯＳ２との間には、水晶発振子１１が接続されている。コンデンサ１２の一方端子は水晶発振子１１の一方端子に接続され、コンデンサ１２の他方端子は接地されている。コンデンサ１３の一方端子は水晶発振子１１の他方端子に接続され、コンデンサ１３の他方端子は接地されている。なお、図１に示す発振回路５は、図示しないトランジスタ等と、水晶発振子１１およびコンデンサ１２，１３を含む回路により発振動作する。
【００２８】
キーコード送信回路９は、抵抗９１、トランジスタ９２、抵抗９３、および赤外光を発光する発光ダイオード９４を含み構成されている。抵抗９１の一端はマイクロコンピュータ１の出力端子ＲＥＭに接続され、その他端はトランジスタ９２のベースに接続されている。トランジスタ９２のエミッタは接地され、そのコレクタは抵抗９３の一端に接続されている。抵抗９３の他端は発光ダイオード９４のカソードに接続され、そのアノードは電池１０の正極に接続されている。
【００２９】
可変抵抗器７の一端はマイクロコンピュータ１の入力端子Ａ／Ｄに接続され、その他端は電池１０の正極に接続されている。詳しくは、入力端子Ａ／Ｄには、図１に示すようにＡ／Ｄ変換回路６の入力側が接続され、マイクロコンピュータ１のＡ／Ｄ変換回路６の入力側には、図３に示すように入力側の電圧を検出するための抵抗Ｒが備えられ、抵抗Ｒの一端は可変抵抗器７の一端に接続され、抵抗Ｒの他端は接地されている。したがって、可変抵抗器７と抵抗Ｒとの直列回路が形成され、可変抵抗器７の抵抗値を変化させることにより、可変抵抗器７と抵抗Ｒとの接続点と接地間の電圧Ｅが変化し、この電圧ＥがＡ／Ｄ変換回路６によりデジタル値に変換される。なお、抵抗Ｒは、Ａ／Ｄ変換回路６の入力側の等価抵抗を示し、可変抵抗器７との直列回路により、電池１０の消耗が少なくなるように高抵抗値になっている。
【００３０】
例えば、現状態での電池１０の電圧が３．２Ｖであった場合、可変抵抗器７と抵抗Ｒとの接続点と接地間の電圧Ｅが３．２Ｖのとき、リモコン装置がＤＶＤレコーダを操作するＤＶＤ操作モードになり、電圧Ｅが２．２Ｖのとき、リモコン装置がＶＣＲを操作するＶＣＲ操作モードになり、電圧Ｅが１．２Ｖのとき、リモコン装置がＴＶ（テレビジョン受像機）を操作するＴＶ操作モードになる。即ち、現状態での電池１０の電圧を最大電圧とし、電圧Ｅが最大電圧のとき、リモコン装置がＤＶＤレコーダを操作するＤＶＤ操作モードになり、電圧Ｅが最大電圧から所定電圧を引いた電圧のとき、リモコン装置がＶＣＲを操作するＶＣＲ操作モードになり、電圧Ｅが最大電圧から所定電圧を引いた電圧から更に所定電圧を引いた電圧のとき、リモコン装置がＴＶ（テレビジョン受像機）を操作するＴＶ操作モードになる。
【００３１】
電圧Ｅを変化させるために、図４に示すように可変抵抗器７（図２参照）の摘み７ａを廻して可変抵抗器７の抵抗値を変化させるが、摘み７ａの指示位置７ｂをＤＶＤに設定すると、可変抵抗器７の抵抗値が０Ωになり、電圧Ｅは電池１０の電圧となる。次に、摘み７ａの指示位置７ｂをＶＣＲに設定すると、電圧Ｅが電池１０の電圧よりも所定電圧低い電圧になる。更に、摘み７ａの指示位置７ｂをＴＶに設定すると、ＶＣＲに設定したときの電圧よりも更に所定電圧低い電圧になる。可変抵抗器７は、摘み７ａの指示位置７ｂが、ＶＣＲに設定された場合と、ＴＶに設定された場合とにおいて、電圧Ｅの電圧が所定の電圧差（電池電圧に対して例えば１Ｖの電圧差と２Ｖの電圧差）になるように、指示位置７ｂの回動と共に、抵抗値の分布が変わるような抵抗を有するようにすれば、所定の電圧差を得ることができる。
【００３２】
図５は本実施形態のリモコン装置がＤＶＤレコーダとＶＣＲとＴＶを操作する場合の構成を示すブロック図である。また、図６は本実施形態のリモコン装置がＤＶＤレコーダとＶＣＲとＴＶを操作する場合の処理を説明するためのフローチャートである。以下、図１〜図６を参照して本実施形態のリモコン装置がＤＶＤレコーダとＶＣＲとＴＶを操作する場合の処理について説明する。
【００３３】
マイクロコンピュータ１内のＣＰＵ２の電池電圧検出手段２１は、電源端子ＶＤＤとグラウンド端子ＧＮＤとの電圧を検出することにより、電池１０の現在の電圧を検出する（ステップＳ１）。次に、ＣＰＵ２の設定電圧検出手段２２は、可変抵抗器７の抵抗変化による設定電圧を検出する（ステップＳ２）。前記設定電圧とは、Ａ／Ｄ変換回路６に入力された電圧Ｅ（図３参照）がデジタル値に変換された電圧値を示す。
【００３４】
この後、ＣＰＵ２の電圧差検出手段２３は、マイクロコンピュータ１の電源端子ＶＤＤに入力された電池電圧と前記設定電圧との電圧差を検出し、更に、ＣＰＵ２の電圧差判定手段２４は、前記検出された電圧差が予め定めた段階の何れに該当するかを判定する（ステップＳ４，Ｓ９）。例えば、電池電圧が３．２Ｖの
場合で、可変抵抗器７と抵抗Ｒとの接続点と接地間の電圧Ｅが３．２Ｖのとき、リモコン装置がＤＶＤ操作モードになり、電圧Ｅが２．２Ｖのとき、リモコン装置がＶＣＲ操作モードになり、電圧Ｅが１．２Ｖのとき、リモコン装置がＴＶ操作モードになるとすると、電池電圧に対するＤＶＤ操作モード時の電圧差は０Ｖであり、電池電圧に対するＶＣＲ操作モード時の電圧差は１Ｖであり、電池電圧に対するＴＶ操作モード時の電圧差は２Ｖになり、これらの電圧差の段階が、電圧差判定手段２４により判定される段階になる。
【００３５】
したがって、ユーザによって可変抵抗器７における摘み７ａの指示位置７ｂがＤＶＤに設定された場合、電圧差判定手段２４は、電池電圧と設定電圧との電圧差が０Ｖであると判定し（ステップＳ４）、操作モード設定手段２５は、前記判定された電圧差が０Ｖである段階に対応するＤＶＤ操作モードに設定する（ステップＳ５）。また、ユーザによって可変抵抗器７における摘み７ａの指示位置７ｂがＶＣＲに設定された場合、電圧差判定手段２４は、電池電圧と設定電圧との電圧差が１Ｖであると判定し（ステップＳ９）、操作モード設定手段２５は、前記判定された電圧差が１Ｖである段階に対応するＶＣＲ操作モードに設定する（ステップＳ１０）。また、ユーザによって可変抵抗器７における摘み７ａの指示位置７ｂがＴＶに設定された場合、電圧差判定手段２４は、電池電圧と設定電圧との電圧差が２Ｖであると判定し（ステップＳ１４）、操作モード設定手段２５は、前記判定された電圧差が２Ｖである段階に対応するＴＶ操作モードに設定する（ステップＳ１５）。このように、電圧差の段階により操作モードが設定されるので、電池１０の使用により電池電圧が低下しても、操作モードの設定が可能になる。
【００３６】
ＤＶＤ操作モードに設定（ステップＳ５）された後、リモコン装置５１のキー操作がされると（ステップＳ６）、ＣＰＵ２の送信制御手段２６は、ＤＶＤ操作モードでの当該キー操作された操作キーに対応するキーコードをフラッシュＲＯＭ３から読み出し（ステップＳ７）、この読み出したキーコードをキーコード送信回路９から送信させる（ステップＳ８）。
【００３７】
ＤＶＤ操作モードに設定されている場合において、例えば、操作キーＸ２Ｙ３が再生キーの機能をする場合、操作キーＸ２Ｙ３が押下されると、マイクロコンピュータ１の発振回路５が発振動作し、マイクロコンピュータ１の出力端子Ｘ２からのパルス信号が、キーマトリクス回路８の操作キーＸ２Ｙ３を介して、マイクロコンピュータ１の入力端子Ｙ３に入力される。これにより、ＣＰＵ２は、ＤＶＤ操作モードにおいて再生キーに相当する操作キーＸ２Ｙ３が押下されたことを検知し、ＣＰＵ２の送信制御手段２６は、ＤＶＤ操作モードでの操作キーＸ２Ｙ３に対応するキーコード（この場合、ＤＶＤレコーダ５２を再生動作させるためのキーコード）をフラッシュＲＯＭ３から読み出し（ステップＳ７）、この読み出したキーコードをキーコード送信回路９から送信させる（ステップＳ８）。そして、キーコード送信回路９からのキーコードを受信したＤＶＤレコーダ５２は、再生動作を開始する。
【００３８】
次に、ＶＣＲ操作モードに設定（ステップＳ１０）された後、リモコン装置５１のキー操作がされると（ステップＳ１１）、ＣＰＵ２の送信制御手段２６は、ＶＣＲ操作モードでの当該キー操作された操作キーに対応するキーコードをフラッシュＲＯＭ３から読み出し（ステップＳ１２）、この読み出したキーコードをキーコード送信回路９から送信させる（ステップＳ１３）。
【００３９】
ＶＣＲ操作モードに設定されている場合において、例えば、操作キーＸ２Ｙ３が早送りキーの機能をする場合、操作キーＸ２Ｙ３が押下されると、マイクロコンピュータ１の発振回路５が発振動作し、マイクロコンピュータ１の出力端子Ｘ２からのパルス信号が、キーマトリクス回路８の操作キーＸ２Ｙ３を介して、マイクロコンピュータ１の入力端子Ｙ３に入力される。これにより、ＣＰＵ２は、ＶＣＲ操作モードにおいて早送りキーに相当する操作キーＸ２Ｙ３が押下されたことを検知し、ＣＰＵ２の送信制御手段２６は、ＶＣＲ操作モードでの操作キーＸ２Ｙ３に対応するキーコード（この場合、ＶＣＲ５３を早送り動作させるためのキーコード）をフラッシュＲＯＭ３から読み出し（ステップＳ１２）、この読み出したキーコードをキーコード送信回路９から送信させる（ステップＳ１３）。そして、キーコード送信回路９からのキーコードを受信したＶＣＲ５３は、早送り動作を開始する。
【００４０】
次に、ＴＶ操作モードに設定（ステップＳ１５）された後、リモコン装置５１のキー操作がされると（ステップＳ１６）、ＣＰＵ２の送信制御手段２６は、ＴＶ操作モードでの当該キー操作された操作キーに対応するキーコードをフラッシュＲＯＭ３から読み出し（ステップＳ１７）、この読み出したキーコードをキーコード送信回路９から送信させる（ステップＳ１８）。
【００４１】
ＴＶ操作モードに設定されている場合において、例えば、操作キーＸ２Ｙ３が音声切換キーの機能をする場合、操作キーＸ２Ｙ３が押下されると、マイクロコンピュータ１の発振回路５が発振動作し、マイクロコンピュータ１の出力端子Ｘ２からのパルス信号が、キーマトリクス回路８の操作キーＸ２Ｙ３を介して、マイクロコンピュータ１の入力端子Ｙ３に入力される。これにより、ＣＰＵ２は、ＴＶ操作モードにおいて音声切換キーに相当する操作キーＸ２Ｙ３が押下されたことを検知し、ＣＰＵ２の送信制御手段２６は、ＴＶ操作モードでの操作キーＸ２Ｙ３に対応するキーコード（この場合、ＴＶ５４を音声切換動作させるためのキーコード）をフラッシュＲＯＭ３から読み出し（ステップＳ１７）、この読み出したキーコードをキーコード送信回路９から送信させる（ステップＳ１８）。そして、キーコード送信回路９からのキーコードを受信したＴＶ５４は、音声切換動作を開始する。
【００４２】
以上説明したように本実施形態によれば、リモコン装置における操作モード切換手段を可変抵抗器で実現したので、操作モード切換手段の構成が簡単になり、可変抵抗器の摘みを廻すだけで、操作キーのキーコードを切り換えることができ、これにより、ユーザの操作性が向上する。また、操作モードを切り換えるキーの個数が減るので、全体的に操作キーの個数が減り、これにより、リモコン装置の小型化およびコストダウンを図ることができる。
【００４３】
なお、以上説明した実施形態では、リモコン装置の操作対象機器がＤＶＤレコーダとＶＣＲとＴＶである場合について説明したが、これに限らず、その他のＡＶ機器であっても良く、また、操作対象機器は３個に限らず、２個あるいは４個以上であっても良い。本実施形態では、操作モード切換手段として可変抵抗器を用いているので、操作モードの個数が増えても、可変抵抗器の抵抗値を変えることにより、操作モードの切り換えを幾らでも行なうことが可能になる。
【産業上の利用可能性】
【００４４】
本発明は、複数の操作対象機器を遠隔操作することが可能なリモコン装置に利用可能であり、操作対象機器を操作する際の操作モードの切り換えが便利になる。
【図面の簡単な説明】
【００４５】
【図１】本発明の一実施形態にリモコン装置に係る構成を示すブロック図である。
【図２】図１に示すリモコン装置においてマイクロコンピュータに接続される構成要素を回路図で示した回路ブロック図である。
【図３】前記実施形態において可変抵抗器の抵抗の変化によりＡ／Ｄ変換回路に入力される電圧が変化することを説明するための回路図である。
【図４】前記実施形態においてリモコン装置の概略構成を示す斜視図である。
【図５】前記実施形態においてリモコン装置がＤＶＤレコーダとＶＣＲとＴＶを操作する場合を説明するためのブロック図である。
【図６】前記実施形態においてリモコン装置がＤＶＤレコーダとＶＣＲとＴＶを操作する場合の処理を説明するためのフローチャートである。
【符号の説明】
【００４６】
３    フラッシュＲＯＭ（メモリ）
７    可変抵抗器
８    キーマトリクス回路
９    キーコード送信回路
１０    電池
２１    電池電圧検出手段
２２    設定電圧検出手段
２３    電圧差検出手段
２４    電圧差判定手段
２５    操作モード設定手段
２６    送信制御手段
５１    リモコン装置
５２    ＤＶＤレコーダ（操作対象機器）
５３    ＶＣＲ（操作対象機器）
５４    ＴＶ（操作対象機器）
【図１】
2008182636.tif 000003
【図２】
2008182636.tif 000004
【図３】
2008182636.tif 000005
【図４】
2008182636.tif 000006
【図５】
2008182636.tif 000007
【図６】
2008182636.tif 000008